Podtech/llm-jp-corpus-v4-ja_patent huggingface dataset:
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
少なくともメッセージを受信するためのインターフェースおよび表示装置（１６）を有する無線装置（１）であって、
前記表示装置（１６）は少なくとも１つのスイッチオン動作状態および少なくとも１つのスイッチオフ動作状態をとるように構成されている形式のものにおいて、
前記無線装置（１）はメッセージインジケータ（１５）を有しており、
メッセージの到着はメッセージインジケータ（１５）によって、前記表示装置（１６）の動作状態とは無関係に信号指示することによって指示され、
前記無線装置（１）は、前記メッセージに割り当てられた少なくとも１つのメッセージパラメータを評価するための手段として評価装置（２０）を有し、
前記信号指示は、前記メッセージパラメータの評価に依存して行われ、
前記無線装置は、前記評価装置（２０）を制御するための情報を入力するための入力装置（３５）を有し、
前記表示装置（２０）を制御するための情報により、選択されたメッセージのみが該表示装置（１６）および／または前記メッセージインジケータ（１５）上に表示されるように、該表示装置（２０）が設定されるように構成されている
ことを特徴とする無線装置（１）。
【請求項２】
前記メッセージを異なって表示する選択基準は、送信者の電話番号、および／または、到着したメッセージの数、および／または、前記メッセージの形式と、前記メッセージがすでに使用者に開かれたか否かとである、
請求項１記載の無線装置（１）。
【請求項３】
前記メッセージがすでに使用者に開かれている場合、前記選択基準は、該メッセージが使用者によってすでに聴取されたか否かである、
請求項２記載の無線装置（１）。
【請求項４】
前記少なくとも１つの到着したメッセージの形式は、該メッセージのテキストまたはヘッダから検出される、
請求項２記載の無線装置（１）。
【請求項５】
前記ヘッダはＳＭＳヘッダとして、たとえばＳＭＳユーザデータヘッダとして構成されている、
請求項４記載の無線装置（１）。
【請求項６】
前記メッセージの形式を検出するために、前記選択基準として、メールボックスという言葉および／またはＥメールという言葉の有無を検出する、
請求項４記載の無線装置（１）。
【手続補正書】
【提出日】平成24年4月30日(2012.4.30)
【手続補正１】
【補正対象書類名】特許請求の範囲
【補正対象項目名】全文
【補正方法】変更
【補正の内容】
【特許請求の範囲】
【請求項１】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記分別収納部にあるコインを前記分別収納部から取り出す取り出し口と
を有することを特徴とする分別コインケース。
【請求項２】
前記所定種のコインよりも大きい直径を有するコインが前記連通部に入らないようにするカバーを前記連通部の前記コイン投入口側に設ける
ことを特徴とする請求項１に記載の分別コインケース。
【請求項３】
前記コインスライド通過口に形成され、前記連通部の一部を構成する切り欠きを有する
ことを特徴とする請求項２に記載の分別コインケース。
【請求項４】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記コインスライド通過口に形成され、前記連通部の一部を構成する切り欠きと、
前記分別収納部にあるコインを前記分別収納部から取り出す取り出し口と
を有することを特徴とする分別コインケース。
【請求項５】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
前記仕切り板に設けられ、複数種あるコイン種のうち所定種のコインの直径よりも大きく、前記所定種のコインの直径より大きい直径を有するコイン種のうち最小の直径を有するコイン種のコインの直径よりも小さい直径を有する略円形状の穴であり、前記コイン投入部に投入された前記所定種のコインを前記分別収納部へ落下させるコイン落下通過口と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記分別収納部にあるコインを前記分別収納部から取り出す取り出し口と
を有することを特徴とする分別コインケース。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
先端に刃先が形成された針と、該針の基端部を保持するハブと、先端保護部を備えた針組立体であって、
該ハブと該先端保護部との距離を規制する制限部と、
ヒンジ部を介して前記先端保護部に接続された固定部とを備え、
該先端保護部は、前記固定部に対し、前記ヒンジ部を介して回転するとともに、前記針の基端部に設けられた第一開口部と、前記針の先端側に設けられた第二開口部とを含んで、針先が撓む機構を有し、
使用前の状態において、前記針が、前記先端保護部の第一開口部から先端保護部に入り、第二開口部から抜け出た状態であり、
使用後において、該先端保護部が該針の先端を保護する位置に移動した際に、前記機構により針先が撓んで、該針先が前記第二開口部から移動して該先端保護部の内側に針先が収納されることにより、該針の先端が保護されることを特徴とする針組立体。
【請求項２】
前記針が、前記第一開口部を支点として撓む請求項１に記載の針組立体。
【請求項３】
前記第一開口部の開口面と前記第二開口部の開口面とが互いに角度をなしている請求項１又は２に記載の針組立体。
【請求項４】
前記針は、弾性及び湾曲部を有するフーバー針であり、
前記制限部は使用前の状態において折りたたまれた構造を形成し、
前記ハブと繋がり、穿刺状態から前記針の引抜き状態とする際に、引き上げることによって接合部を介して前記ハブを持ち上げる取っ手部とを備える請求項１から３のいずれかに記載の針組立体。
【請求項５】
前記取っ手部は、前記取っ手部が前記先端保護部に設けられた固定部と接続されるための留め具を有し、
前記取っ手部は、前記接合部を中心として先端部が弧を描く回動可能に設けられ、
前記取っ手部の端部を持ち上げることにより前記取っ手部と前記固定部との係合が解除されることを特徴とする請求項４に記載の針組立体。
【請求項６】
前記取っ手部は接合部を介して前記ハブと繋がり、
前記接合部は、前記針の水平方向において、前記針における湾曲部よりも先端側を構成する垂直部のほぼ直上となるような位置に設けられたことを特徴とする請求項５又は６に記載の針組立体。
【請求項７】
穿刺状態において先端保護部を覆ってハブと接続されるカバー部材を備え、前記取っ手部材が接合部を介して前記カバー部材に設けられたことを特徴とする請求項６に記載の針組立体。
【請求項８】
連接体が、前記先端保護部に設けられた固定部、前記先端保護部及び前記制限部を備え、前記連接体がさらに取付部を備え、前記取付部を前記ハブと前記カバー部材とで挟んで前記ハブに固定された請求項７に記載の針組立体。
【請求項９】
先端に刃先が形成された針と、該針の基端部を保持するハブと、先端保護部を備えた針先保護機構であって、
該ハブと該先端保護部との距離を規制する制限部と、
ヒンジ部を介して前記先端保護部に接続された固定部と、
を備え、
該先端保護部は、前記固定部に対し、前記ヒンジ部を介して回転するとともに、前記針の基端側に設けられた第一開口部と、前記針の先端側に設けられた第二開口部と、該第二開口部に設けられた針先戻り防止部とを含んで、針先が撓む機構を有し、
使用前の状態において、前記針が、前記先端保護部の第一開口部から先端保護部に入り、第二開口部から抜け出た状態であり、
使用後において、該先端保護部が該針の先端を保護する位置に移動した際に、前記機構により針先が撓んで、該針先が前記第二開口部から移動して該先端保護部の内側に針先が収納されることにより、該針の先端が保護されることを特徴とする針先保護機構。
【請求項１０】
前記針が、前記第一開口部を支点として撓む請求項９に記載の針先端保護機構。
【請求項１１】
前記第一開口部の開口面と前記第二開口部の開口面とが互いに角度をなしている請求項９又は１０に記載の針先端保護機構。
【請求項１２】
前記針は、弾性及び湾曲部を有するフーバー針であり、
前記制限部は使用前の状態において折りたたまれた構造を形成し、
前記ハブと繋がり、穿刺状態から前記針の引抜き状態とする際に、引き上げることによって接合部を介して前記ハブを持ち上げる取っ手部とを備える請求項９から１１のいずれかに記載の針先端保護機構。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成される遊技盤と、所定条件の成立にもとづいて所定の表示結果を導出表示する表示装置と、を備え、遊技者に有利な特定遊技状態に制御するときに前記表示装置に予め定められた特定表示結果を導出表示する遊技機において、
前記遊技盤は、背部を視認可能な透明板状部材によって形成され、
前記遊技盤の後面側に設けられ、前記表示装置によって表示される領域以外であって、遊技者が背部を視認可能な遊技領域を立体的に装飾する全体装飾部材を備えたことを特徴とする遊技機。
【請求項２】
前記遊技盤には遊技盤開口が設けられ、前記遊技者は該遊技盤開口を通して前記表示装置の表示を視認できることを特徴とする請求項１に記載の遊技機。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
被検眼の３次元断層像を取得する取得手段と、
前記被検眼の眼底画像における２次元領域と前記３次元断層像における所定の層とに基づいて、該３次元断層像における該２次元領域に対応する３次元領域を可視化した画像を生成する生成手段と、
を有することを特徴とする眼科装置。
【請求項２】
前記３次元断層像における前記所定の層の位置に基づいて該３次元断層像における前記２次元領域の深さ方向の位置を決定する決定手段を有することを特徴とする請求項１に記載の眼科装置。
【請求項３】
前記眼底画像から前記被検眼の血管領域を前記２次元領域として抽出する血管領域抽出手段と、
前記３次元断層像から前記被検眼の神経繊維層を前記所定の層として抽出する層抽出手段と、を有し、
前記決定手段が、前記神経繊維層の位置に基づいて前記血管領域の深さ方向の位置を決定することを特徴とする請求項２に記載の眼科装置。
【請求項４】
前記決定手段が、前記神経繊維層の下端付近を前記血管領域の深さ方向の位置として決定することを特徴とする請求項３に記載の眼科装置。
【請求項５】
前記眼底画像が、前記３次元断層像の積算画像であり、
前記血管領域抽出手段が、前記積算画像から前記血管領域を抽出することを特徴とする請求項３あるいは４に記載の眼科装置。
【請求項６】
前記眼底画像から前記被検眼の白斑領域を前記２次元領域として抽出する白斑領域抽出手段と、
前記３次元断層像から前記被検眼の外網状層を前記所定の層として抽出する層抽出手段と
を有し、
前記決定手段が、前記外網状層の位置に基づいて前記白斑領域の深さ方向の位置を決定することを特徴とする請求項２に記載の眼科装置。
【請求項７】
前記決定手段が、前記外網状層の付近を前記白斑領域の深さ方向の位置として決定することを特徴とする請求項６に記載の眼科装置。
【請求項８】
前記眼底画像が、前記被検眼の眼底写真であり、
前記白斑領域抽出手段が、前記眼底写真から前記白斑領域を抽出することを特徴とする請求項６あるいは７に記載の眼科装置。
【請求項９】
前記決定手段が、前記被検眼の深さ方向における前記３次元断層像の第１の位置からの距離に対応する該３次元断層像の不透明度に基づいて、該３次元断層像の第２の位置を前記２次元領域の深さ方向の位置として決定することを特徴とする請求項２乃至８のいずれか１項に記載の眼科装置。
【請求項１０】
前記生成手段が、前記３次元領域のうち少なくとも一部をピーク位置とする前記可視化した画像を生成することを特徴とする請求項１乃至９のいずれか１項に記載の眼科装置。
【請求項１１】
被検眼の３次元断層像を取得する取得手段と、
前記被検眼の深さ方向における前記３次元断層像の第１の位置からの距離に対応する該３次元断層像の不透明度に基づいて、該３次元断層像の第２の位置にある領域を可視化した画像を生成する生成手段と、
を有することを特徴とする眼科装置。
【請求項１２】
前記距離に対応する前記３次元断層像の不透明度の関数を距離伝達関数として決定する距離伝達関数決定手段を有することを特徴とする請求項１１に記載の眼科装置。
【請求項１３】
被検眼の３次元断層像を取得する取得手段と、
前記３次元断層像の積算画像における２次元領域と該３次元断層像における所定の層とに基づいて、該３次元断層像における該２次元領域に対応する３次元領域を可視化した画像を生成する生成手段と、
を有することを特徴とする眼科装置。
【請求項１４】
被検眼の３次元断層像を取得する取得手段と、
前記３次元断層像の積算画像における血管領域と該３次元断層像における神経繊維層とに基づいて前記被検眼の眼底血管の３次元走行を可視化した画像を生成する生成手段と、
を有することを特徴とする眼科装置。
【請求項１５】
前記可視化した画像を表示手段に表示させる表示制御手段を有することを特徴とする請求項１乃至１４のいずれか１項に記載の眼科装置。
【請求項１６】
被検眼の３次元断層像を取得する工程と、
前記被検眼の眼底画像における２次元領域と前記３次元断層像における所定の層とに基づいて、該３次元断層像における該２次元領域に対応する３次元領域を可視化した画像を生成する工程と、
を有することを特徴とする眼科装置の制御方法。
【請求項１７】
前記３次元断層像における前記所定の層の位置に基づいて該３次元断層像における前記２次元領域の深さ方向の位置を決定する工程を有することを特徴とする請求項１６に記載の眼科装置の制御方法。
【請求項１８】
コンピュータを、請求項１ないし１５のいずれか１項に記載の眼科装置の各手段として機能させることを特徴とするコンピュータプログラム。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、特定の遊技結果となったことにもとづいて遊技者にとって有利な特定遊技状態に制御するとともに、通常遊技状態であるときに比べて識別情報の可変表示の表示結果が前記特定表示結果となる確率が向上した高確率状態に制御可能であり、かつ所定の払出条件が成立したことにもとづいて遊技媒体を払い出す遊技機であって、
電力供給が停止しても所定期間は記憶内容を保持することが可能であり、少なくとも前記高確率状態に制御されていることを示す高確率状態中情報を含むデータを記憶するバックアップ記憶手段と、
前記高確率状態に制御する高確率状態制御手段と、
前記高確率状態であるか否かを認識困難な共通演出を実行する共通演出実行手段と、
電力供給が開始されたときに、前記バックアップ記憶手段に前記高確率状態中情報が記憶されていることにもとづいて、前記高確率状態に制御されていることを示す高確率状態中信号を外部出力する高確率状態中信号外部出力手段と、
前記所定の払出条件が成立したときに、所定数分の遊技媒体を払い出すための前記所定の払出条件が成立したことを示す払出条件成立信号を外部出力する払出条件成立信号外部出力手段と、を備え、
前記高確率状態中信号外部出力手段は、電力供給が開始されてから所定条件が成立するまで前記高確率状態中信号の出力を継続し、前記所定条件が成立すると前記高確率状態中信号の出力を禁止する
ことを特徴とする遊技機。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、所定の払出条件が成立したことにもとづいて遊技媒体を払い出す遊技機であって、
電力供給が停止しても所定期間は記憶内容を保持することが可能であり、制御を行う際に発生する変動データを記憶する変動データ記憶手段と、
操作に応じて操作信号を出力する初期化操作手段と、
電力供給が開始されたときに、前記初期化操作手段からの前記操作信号が入力されたことにもとづいて、前記変動データ記憶手段の記憶内容を初期化する初期化処理を実行する初期化処理実行手段と、
所定のエラーが発生したか否かを判定するエラー判定手段と、
少なくとも、前記初期化処理実行手段によって前記初期化処理が実行されたこと、および前記エラー判定手段によって前記所定のエラーが発生したと判定されたことを含む所定の信号出力条件が成立したことにもとづいて、遊技機状態信号を外部出力する遊技機状態信号外部出力手段と、
前記所定の払出条件が成立したときに、所定数分の遊技媒体を払い出すための前記所定の払出条件が成立したことを示す払出条件成立信号を外部出力する払出条件成立信号外部出力手段と、を備え、
前記遊技機状態信号外部出力手段は、前記初期化処理実行手段によって前記初期化処理が実行されたときと前記エラー判定手段によって前記所定のエラーが発生したと判定されたときとで、遊技機に設けられた共通の出力端子から前記遊技機状態信号を出力する
ことを特徴とする遊技機。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、所定の払出条件が成立したことにもとづいて遊技媒体を払い出す遊技機であって、
前記所定の払出条件が成立したときに、所定数分の遊技媒体を払い出すための前記所定の払出条件が成立したことを示す払出条件成立信号を外部出力する払出条件成立信号外部出力手段を備え、
前記所定の払出条件には、遊技媒体の払出数が異なる複数種類の払出条件が含まれ、
前記所定の払出条件が成立したことにもとづいて、成立した当該所定の払出条件に応じた払出数を用いて所定の演算を行って、累積値を更新する累積更新手段をさらに備え、
前記払出条件成立信号外部出力手段は、前記累積更新手段によって更新された前記累積値が前記所定数に達したことにもとづいて、前記払出条件成立信号を外部出力し、
前記累積更新手段は、前記払出条件成立信号の外部出力にともなって、前記所定数を用いて前記所定の演算とは逆方向の演算を行って、前記累積値を更新する
ことを特徴とする遊技機。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、特定の遊技結果となったことにもとづいて遊技者にとって有利な特定遊技状態に制御するとともに、所定の払出条件が成立したことにもとづいて遊技媒体を払い出す遊技機であって、
前記特定遊技状態において閉鎖状態から開放状態に制御される特別可変入賞装置と、
遊技媒体の払い出しを行う払出手段と、
前記特定の遊技結果となったことにもとづいて、前記特定遊技状態に制御する特定遊技状態制御手段と、
前記特定遊技状態に制御されているときに、前記特別可変入賞装置に遊技媒体が入賞したことにもとづいて、前記所定の払出条件のうちの特定払出条件が成立したものとして、前記払出手段を駆動制御して遊技媒体を払い出させる特定払出制御を実行する特定払出制御手段と、
前記所定の払出条件が成立したときに、所定数分の遊技媒体を払い出すための前記所定の払出条件が成立したことを示す払出条件成立信号を外部出力する払出条件成立信号外部出力手段と、を備え、
前記特定払出制御手段は、前記特定遊技状態を終了した後、少なくとも所定期間を経過するまでに、当該特定遊技状態中に成立した前記特定払出条件にもとづく特定払出制御を終了し、
前記特定遊技状態制御手段は、前記特定遊技状態を終了した後、前記所定期間を経過する前に前記特定の遊技結果となったことにもとづいて、前記特定払出制御手段による特定払出制御の終了前であっても、前記特定遊技状態に制御可能である
ことを特徴とする遊技機。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が所定の遊技を行うことが可能であり、所定の払出条件が成立したことにもとづいて遊技媒体を払い出す遊技機であって、
遊技領域に設けられた入賞領域を遊技媒体が通過したことにもとづいて、当該入賞領域を遊技媒体が通過したことを示す入賞領域通過信号を外部出力する入賞領域通過信号外部出力手段と、
前記所定の払出条件が成立したときに、所定数分の遊技媒体を払い出すための前記所定の払出条件が成立したことを示す払出条件成立信号を外部出力する払出条件成立信号外部出力手段と、を備え、
前記払出条件成立信号外部出力手段は、前記入賞領域通過信号外部出力手段が前記入賞領域通過信号を外部出力するために用いる信号出力ルーチンと共通の信号出力ルーチンを用いて、前記払出条件成立信号を外部出力する
ことを特徴とする遊技機。
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
電動送風機と、前記電動送風機を収容するケースと、前記電動送風機の吸込口の周囲と前記ケースとの間に配置された気密部材とを備えた電気掃除機において、
前記気密部材は、振動を抑える振動防止部と前記電動送風機の吸気側及び排気側の気密を取る気密部を別々の形状で実現したことを特徴とする電気掃除機。
【請求項２】
請求項１に記載の電気掃除機において、
前記振動防止部が、複数の凸形状を有するか、
前記気密部が、薄板状の形状を有することを特徴とする電気掃除機。
【請求項３】
電動送風機と、前記電動送風機を収容するケースと、前記電動送風機の吸込口の周囲と前記ケースとの間に配置された部材とを備えた電気掃除機において、
前記部材は、複数の突起が環状に配置された第１の環状部と、環状の薄板で構成され根元に対して先端が外側に拡がって形成された第２の環状部とを備えることを特徴とする電気掃除機。
【請求項４】
請求項３に記載の電気掃除機において、
前記第１の環状部と前記第２の環状部とは同一材料で構成され、
前記部材が前記電動送風機の吸込口の周囲と前記ケースとの間に配置された状態において、前記第２の環状部の弾性変形量は、前記第１の環状部の弾性変形量よりも大きいことを特徴とする電気掃除機。
【請求項５】
請求項３に記載の電気掃除機において、
前記部材が前記電動送風機の吸込口の周囲と前記ケースとの間に配置されていない状態において、前記第２の環状部の先端は、前記第１の環状部の先端よりも突出していることを特徴とする電気掃除機。
【手続補正書】
【提出日】平成23年12月9日(2011.12.9)
【手続補正１】
【補正対象書類名】明細書
【補正対象項目名】００３７
【補正方法】変更
【補正の内容】
【００３７】
１    供給ブロック
１１    開口部
２    加熱筒
２１    円筒本体
２２    連結筒
２３    係止段部
２４    供給部
２４ａ  供給口
２５    ねじ部
２６    ナット
２７    射出スクリュ
３    前支持プレート
３１    開口
３２    凹所
３３    段部
３４    軸芯調整リング
３５    軸芯調整リングのボルト
３６    位置調整間隙
３７    位置調整用楔
３８    環状突縁
３９    位置調整用ボルト
４    射出駆動機構
４４    スクリュ連結部材
５    軸芯調整リング取付用の治具
５１    治具先端の保持部材
【手続補正書】
【提出日】平成24年1月26日(2012.1.26)
【手続補正１】
【補正対象書類名】明細書
【補正対象項目名】００１３
【補正方法】変更
【補正の内容】
【００１３】
【図１】本発明の一実施形態に係るトップハンドル式携帯動力作業機を説明する説明図である。同図（ａ）が本発明の一実施形態に係るトップハンドル式携帯動力作業機の主要構成を示した側面図であり、同図（ｂ）が従来の携帯動力作業機の側面図である。
【図２】本発明の実施形態に係るトップハンドル式携帯動力作業機におけるトップグリップ部の形状を示した説明図である。同図（ａ），（ｂ）はトップグリップ部の部分的な斜視図である。
【図３】本発明の実施形態に係るトップハンドル式携帯動力作業機におけるトップグリップ部の形状を示した説明図である。
【図４】同図（ａ）が本発明の実施形態に係るトップハンドル式携帯動力作業機におけるトップグリップ部の平面図、同図（ｂ）〜（ｅ）が同図（ａ）における各切断線での断面図である。
【図５】本発明の他の実施形態を示す説明図である。
【図６】本発明の実施形態に係るトップハンドル式携帯動力作業機の一例（トップハンドル式チェーンソーの全体構成）を示した説明図である（同図（ａ）が右側からみた側面図、同図（ｂ）が作業機本体のみの左側からみた側面図）。
【手続補正２】
【補正対象書類名】明細書
【補正対象項目名】００２１
【補正方法】変更
【補正の内容】
【００２１】
このような特徴によると、作業者がトップグリップ部３０ａを握る際に、人差し指当接部３１に鉤状に曲げた人差し指を当てて、親指当接部３２に親指の腹を当てることで、鉤状に曲げた人差し指と親指でトップグリップ３０ａの先端を効果的に締め付けることが可能になる。これによって、作業者は、作業部２０の作業軸２０ａを固定して前腕の方向Ａｒ１に合わせることができ、十分なグリップ力で作業部２０のふらつきを防ぎながら、対象物の所望の位置に正確に作業部２０を持っていくことが可能になる。
【手続補正書】
【提出日】平成23年12月22日(2011.12.22)
【手続補正１】
【補正対象書類名】明細書
【補正対象項目名】００６０
【補正方法】変更
【補正の内容】
【００６０】
さらに、渡し胴８４のグリッパ支持部１０１，１０２には赤外線温度計や赤外線水分計などの温度若しくは水分の測定手段としてのセンサユニット１８２が設けられ、該センサユニット１８２の測定結果に応じて噴射規制部材１１６が制御される。例えば、センサユニット１８２により用紙先端付近の同一箇所の温度若しくは水分の時間変化（特に立ち上がり特性）を測定し、この測定結果に基づいて噴射規制部材１１６を制御することにより、渡し胴８４で乾燥中の用紙に対しても熱風の噴射範囲を補正できるので、用紙ごとの紙厚や吸湿度合い、浸透抑制剤付与量や後述する処理液付与量などのバラツキに対しても安定した乾燥が可能となる。
【手続補正２】
【補正対象書類名】明細書
【補正対象項目名】００６３
【補正方法】変更
【補正の内容】
【００６３】
図４はセンサユニット１８２によるモニタ位置１８３の例と、センサユニット１８２によるモニタ位置１８５を示す図である。ここでは面付け（８ページ）の印刷を例示するが、多面取りの印刷形態には限定されず、１枚の用紙に１ページ分の印刷を行うものであってもよい。
【手続補正３】
【補正対象書類名】明細書
【補正対象項目名】００６５
【補正方法】変更
【補正の内容】
【００６５】
渡し胴８４の各グリッパ９１，９２について同じ場所にセンサユニット１８２を配置することにより、当該渡し胴８４に記録媒体１４が受け渡たされたときから次の圧胴へ受け渡すまでの間における温度を連続的に検出できる。温度の時間変化を記録することにより、渡し胴８４と搬送ガイド１５０で記録媒体１４の乾燥を始めてからの表面温度の時間変化（立ち上がりカーブ）を取得できる。
【手続補正４】
【補正対象書類名】明細書
【補正対象項目名】００６９
【補正方法】変更
【補正の内容】
【００６９】
センサユニット１８２によって温度や水などの溶媒の時間変化（好ましくは、立ち上がり特性）を測定して噴射規制部材１１６の回動位置を制御することによって、渡し胴８４で乾燥中の用紙に対しても熱風の噴射範囲を補正できる。これにより、用紙ごとの紙厚や吸湿度合い、浸透抑制剤や後述する処理液の付与量などのバラツキに対しても安定した乾燥が可能となる。
【手続補正５】
【補正対象書類名】明細書
【補正対象項目名】００７７
【補正方法】変更
【補正の内容】
【００７７】
なお、グリセリンなどの高沸点溶媒や表１に記載したＬＸ−１、表４に記載したＬＸ−２などのポリマー粒子などを少量添加して処理液の浸透を抑制することで、前述の浸透抑制層を不要にするも可能である。そのため、このような浸透抑制効果を有する処理液を液体塗布装置４２で塗布することとすれば、処理液付与部２６の圧胴８６、処理液ヘッド２０２、及び処理液乾燥ユニット２０４などが不要となる。
【手続補正６】
【補正対象書類名】明細書
【補正対象項目名】０１５７
【補正方法】変更
【補正の内容】
【０１５７】
ＲＯＭ４７５には、システムコントローラ４７２のＣＰＵが実行するプログラム及び制御に必要な各種データなどが格納されている。なお、ＲＯＭ４７５は、書換不能な記憶手段であってもよいし、ＥＥＰＲＯＭ（Electrically Erasable Programmable Read-Only Memory）のような書換可能な記憶手段であってもよい。メモリ４７４は、画像データの一時記憶領域として利用されるとともに、プログラムの展開領域及びＣＰＵの演算作業領域としても利用される。
【手続補正７】
【補正対象書類名】図面
【補正対象項目名】図２
【補正方法】変更
【補正の内容】
【図２】
2010184479.tif 000001
【手続補正８】
【補正対象書類名】図面
【補正対象項目名】図３
【補正方法】変更
【補正の内容】
【図３】
2010184479.tif 000002
【手続補正９】
【補正対象書類名】図面
【補正対象項目名】図４
【補正方法】変更
【補正の内容】
【図４】
2010184479.tif 000003
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
所定条件が成立した場合に、遊技者にとって有利な特別遊技状態を発生させる遊技機であって、
互いの端部が当接する閉鎖位置と、互いの端部が離間した開放位置との間で動作する複数の開閉部材と、
前記開閉部材を駆動させる駆動手段とを備えるとともに、
前記複数の開閉部材のうちの少なくとも１つに対応して、当該開閉部材を前記開放位置から前記閉鎖位置へ向かう閉鎖方向へ付勢する付勢手段を備えたことを特徴とする遊技機。
【請求項２】
前記複数の開閉部材を互いに当接させた状態で一体に動作させる制御を行うことを特徴とする請求項１に記載の遊技機。
【請求項３】
前記閉鎖位置から前記開放位置へ向かう開放方向へ前記複数の開閉部材をそれぞれ移動させる際に、前記複数の開閉部材のうち前記付勢手段に係る開閉部材を、その他の開閉部材よりも先に動作開始させる制御を行なうことを特徴とする請求項１又は２に記載の遊技機。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
回転槽を収容する水槽を防振支持するサスペンションを有した洗濯機において、
前記サスペンションを、
シリンダと、
このシリンダの内部に固定された軸受と、
前記シリンダの内部に固定されて磁場又は電場を可変に発生するフィールド発生装置と、
このフィールド発生装置及び前記軸受を相対的に軸方向往復動可能に貫通して支持されたシャフトと、
このシャフトと前記フィールド発生装置との間及びその近傍に充填された磁気粘性流体又は電気粘性流体から成る機能性流体と、
前記フィールド発生装置の下方に位置して前記シリンダの内部に固定され、前記シャフトの外周面に密接して前記機能性流体の漏出を阻止するシール部材とを具備する構成としたことを特徴とする洗濯機。
【請求項２】
フィールド発生装置が磁場発生装置であって、その磁場発生装置の軸方向両側に磁性部材が配設され、この両磁性部材とシャフトとの間に磁気粘性流体が充填されていることを特徴とする請求項１記載の洗濯機。
【請求項３】
両磁性部材間の全部又は一部の、フィールド発生装置とシャフトとの間にスペーサを配設したことを特徴とする請求項２記載の洗濯機。
【請求項４】
シャフトと両磁性部材の両方又は一方が着磁されていることを特徴とする請求項２記載の洗濯機。
【請求項５】
電池により、磁場発生装置からシャフトと両磁性部材の両方又は一方に対して磁場を発生することが可能とされていることを特徴とする請求項２記載の洗濯機。
【請求項６】
フィールド発生装置の軸方向片側又は両側に、シャフトの軸方向往復動に対して減衰力を付与するダンパ部材を配設したことを特徴とする請求項１記載の洗濯機。
【請求項７】
フィールド発生装置が磁場発生装置であって、シャフトの、磁場発生装置部分を相対的に往復動する部分が磁性、シール部材部分を相対的に往復動する部分が非磁性であることを特徴とする請求項１記載の洗濯機。
【請求項８】
フィールド発生装置が磁場発生装置であって、その磁場発生装置が、磁場の磁束の向きを変更することが可能とされていることを特徴とする請求項１記載の洗濯機。
【手続補正２】
【補正対象書類名】明細書
【補正対象項目名】発明の名称
【補正方法】変更
【補正の内容】
【発明の名称】洗濯機
【手続補正３】
【補正対象書類名】明細書
【補正対象項目名】０００１
【補正方法】変更
【補正の内容】
【０００１】
本発明は、水槽を機能性流体を使用するサスペンションにより防振支持した洗濯機に関する。
【手続補正４】
【補正対象書類名】明細書
【補正対象項目名】０００９
【補正方法】変更
【補正の内容】
【０００９】
本発明は上述の事情に鑑みてなされたものであり、従ってその目的は、回転槽を収容する水槽を、機能性流体を使用するサスペンションにより防振支持するものにおいて、その機能性流体の使用量の低減を図って、コストの低廉化を可能とする洗濯機を提供するにある。
【手続補正５】
【補正対象書類名】明細書
【補正対象項目名】００１０
【補正方法】変更
【補正の内容】
【００１０】
上記目的を達成するために、本発明の洗濯機においては、回転槽を収容する水槽を防振支持するサスペンションを有した洗濯機において、前記サスペンションを、シリンダと、このシリンダの内部に固定された軸受と、前記シリンダの内部に固定されて磁場又は電場を可変に発生するフィールド発生装置と、このフィールド発生装置及び前記軸受を相対的に軸方向往復動可能に貫通して支持されたシャフトと、このシャフトと前記フィールド発生装置との間及びその近傍に充填された磁気粘性流体又は電気粘性流体から成る機能性流体と、前記フィールド発生装置の下方に位置して前記シリンダの内部に固定され、前記シャフトの外周に密接して前記機能性流体の漏出を阻止するシール部材とを具備する構成としたことを特徴とする（請求項１の発明）。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
所定条件が成立した場合に、遊技者にとって有利な特別遊技状態を発生させる遊技機であって、
所定部位に当接する閉鎖位置と、前記所定部位から離間する開放位置との間で動作する開閉部材と、
前記開閉部材を駆動させる駆動手段と、
前記駆動手段から前記開閉部材に動力を伝達する駆動伝達部材とを備えるとともに、
前記駆動伝達部材と前記開閉部材との間に、当該開閉部材の閉鎖時の衝撃を吸収する緩衝手段を介在させたことを特徴とする遊技機。
【請求項２】
所定条件が成立した場合に、遊技者にとって有利な特別遊技状態を発生させる遊技機であって、
互いの端部が当接する閉鎖位置と、互いの端部が離間した開放位置との間で動作する複数の開閉部材と、
前記開閉部材を駆動させる駆動手段と、
前記駆動手段から前記各開閉部材に動力を伝達する複数の駆動伝達部材とを備えるとともに、
前記開閉部材のうち少なくとも１つとこれに対応する前記駆動伝達部材との間に、当該開閉部材の閉鎖時の衝撃を吸収する緩衝手段を介在させたことを特徴とする遊技機。
【請求項３】
前記複数の開閉部材は、上下方向に摺動する一対の開閉部材であって、
前記上下一対の開閉部材のうち少なくとも下側の開閉部材と、これに対応する前記駆動伝達部材との間に、前記緩衝手段として当該開閉部材を上方へ付勢する付勢手段を介在させたことを特徴とする請求項２に記載の遊技機。
【手続補正書】
【提出日】平成23年12月26日(2011.12.26)
【手続補正１】
【補正対象書類名】特許請求の範囲
【補正対象項目名】請求項２６
【補正方法】変更
【補正の内容】
【請求項２６】
前記スペクトル測定の波長範囲は、８００〜２６００ｎｍの近赤外線スペクトル、４００〜８００ｎｍの可視光スペクトルもしくは１５０〜４００ｎｍの紫外線スペクトル又はそれらの組合せである請求項２５に記載の流体制御装置。
【手続補正書】
【提出日】平成24年2月6日(2012.2.6)
【手続補正１】
【補正対象書類名】特許請求の範囲
【補正対象項目名】請求項３
【補正方法】変更
【補正の内容】
【請求項３】
両端部にフランジを有する異形断面材を、ロール中央部の間隔を前記異形断面材中央部の板厚以上に、ロール両端部の間隔を前記異形断面材両端部の板厚よりも小さくした上下一対の水平ロール間と、当該水平ロールに隣接配置した平滑な左右一対の垂直ロール間を通すことを特徴とする異形断面材の端部矯正方法。
【手続補正２】
【補正対象書類名】明細書
【補正対象項目名】００１１
【補正方法】変更
【補正の内容】
【００１１】
本発明の異形断面材の端部矯正方法は、その目的を達成するため、両端部にフランジを有する異形断面材を、ロール中央部の間隔を前記異形断面材中央部の板厚以上に、ロール両端部の間隔を前記異形断面材両端部の板厚よりも小さくした上下一対の水平ロール間を通すことを特徴とする。
ロール中央部の間隔を前記異形断面材中央部の板厚以上に、ロール両端部の間隔を前記異形断面材両端部の板厚よりも小さくした上下一対の水平ロール間と、当該水平ロールに隣接配置した平滑な左右一対の垂直ロール間を通しても良い。
いずれの方法で矯正しても、その後に、溝付きのサイドロールにより、左右から幅方向に圧下力を加えることが好ましい。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
アブラナ科植物に含まれる〔化１〕で示される６−メチルするフィニルヘキシルイソチオシアネートを有効成分として含有し、男性ホルモン様作用を呈することを特徴とする医薬品。
【化１】
2010184892.tif 000001
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
複数枚のシートからなるシート束に厚さ方向の凹凸を形成することで前記シート束を綴じるシート綴じ装置において、
前記シート束の厚さ方向に移動可能に設けられ、前記シート束から退避した第２の位置から前記シート束を挟持して綴じる第１の位置に移動することで前記シート束に厚さ方向の凹凸を形成する一対の歯型部材と、
前記一対の歯型部材の前記第１の位置におけるシート束の厚さ方向の間隔を、綴じられるシート束の厚さに応じた間隔に調整する調整手段と、
前記一対の歯型部材を、前記第１の位置と、前記第１の位置より前記シート束の厚さ方向に退避した前記第２の位置と、に移動させる移動手段と、
前記調整手段と前記移動手段を制御する制御手段と、
を有することを特徴とするシート綴じ装置。
【請求項２】
前記調整手段は、前記第１の位置における前記一対の歯型部材の間隔を、綴じられるシート束の厚さに応じて、前記厚さが厚いときには広くし、前記厚さが薄いときには狭くするよう、前記一対の歯型部材の前記第２の位置から前記第１の位置への移動を調整することを特徴とする請求項１に記載のシート綴じ装置。
【請求項３】
前記一対の歯型部材は、所定の位置に固定された固定歯型部材と、前記固定歯型部材に対してシート束の厚さ方向に移動可能な移動歯型部材とからなり、前記移動歯型部材は前記移動手段によりシート束の厚さ方向に移動することを特徴とする請求項１又は２に記載のシート綴じ装置。
【請求項４】
前記各歯型部材は、前記シート束に厚さ方向の凹凸を形成するための凹凸形状の歯を有し、ともに凹凸形状の配列ピッチが同一であることを特徴とする請求項１乃至３のいずれか１項に記載のシート綴じ装置。
【請求項５】
前記一対の歯型部材のシート束の厚さ方向の間隔は、前記シート束をなすシートの枚数と厚さの情報に応じて調整されることを特徴とする請求項１乃至４のいずれか１項に記載のシート綴じ装置。
【請求項６】
シートに画像を形成する画像形成部と、画像が形成された複数枚のシートからなるシート束を綴じる請求項１乃至５のいずれか１項に記載のシート綴じ装置と、を有することを特徴とする画像形成装置。
【手続補正２】
【補正対象書類名】明細書
【補正対象項目名】００１０
【補正方法】変更
【補正の内容】
【００１０】
本発明は、複数枚のシートからなるシート束に厚さ方向の凹凸を形成することで前記シート束を綴じるシート綴じ装置において、前記シート束の厚さ方向に移動可能に設けられ、前記シート束から退避した第２の位置から前記シート束を挟持して綴じる第１の位置に移動することで前記シート束に厚さ方向の凹凸を形成する一対の歯型部材と、前記一対の歯型部材の前記第１の位置におけるシート束の厚さ方向の間隔を、綴じられるシート束の厚さに応じた間隔に調整する調整手段と、前記一対の歯型部材を、前記第１の位置と、前記第１の位置より前記シート束の厚さ方向に退避した前記第２の位置と、に移動させる移動手段と、前記調整手段と前記移動手段を制御する制御手段と、を有することを特徴とする。
【手続補正３】
【補正対象書類名】明細書
【補正対象項目名】００１１
【補正方法】変更
【補正の内容】
【００１１】
本発明によれば、凹凸形成時における一対の歯型部材の間隔を、綴じられるシート束の厚さに応じた間隔に調整して良好な綴じ処理を実現ができる。また一対の歯型部材でシート束の厚さに対応するので、シート束の厚さに応じた綴じ処理を簡易な構成で実現することができる。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
少なくともポリマー微粒子を含有するインクジェット用のクリアインクであって、
前記ポリマー微粒子が、α，β−エチレン性不飽和疎水性モノマー（ａ）に由来するユニットと、α，β−エチレン性不飽和酸モノマー及びその塩から選ばれるモノマーに由来するユニットと、を少なくとも有する共重合体であるシェルポリマーの存在下で、さらにα，β−エチレン性不飽和疎水性モノマー（ｂ）をコアポリマーとして重合することにより得られるコアシェル構造を有し、
前記α，β−エチレン性不飽和疎水性モノマー（ｂ）が、芳香族含有不飽和モノマーを少なくとも含み、
さらに、前記ポリマー微粒子に対して、前記芳香族含有不飽和モノマーに由来するユニットが占める割合が、１０．０質量％以上７０．０質量％以下であることを特徴とするクリアインク。
【請求項２】
前記ポリマー微粒子の酸価が、４０ｍｇＫＯＨ／ｇ以上２００ｍｇＫＯＨ／ｇ以下である請求項１に記載のクリアインク。
【請求項３】
前記シェルポリマーの酸価が、６０ｍｇＫＯＨ／ｇ以上４００ｍｇＫＯＨ／ｇ以下である請求項１又は２に記載のクリアインク。
【請求項４】
前記ポリマー微粒子におけるコアポリマーとシェルポリマーの比率が、質量基準で、コア／シェル＝０．３３以上１．５以下である請求項１乃至３のいずれか１項に記載のクリアインク。
【請求項５】
前記シェルポリマーの重量平均分子量が、３，０００以上５０，０００以下である請求項１乃至４のいずれか１項に記載のクリアインク。
【請求項６】
前記ポリマー微粒子の最低造膜温度（℃）が、２５℃以下である請求項１乃至５のいずれか１項に記載のクリアインク。
【請求項７】
前記芳香族含有不飽和モノマーが、スチレン、α−メチルスチレン及び（メタ）アクリル酸ベンジルから選ばれる少なくとも１種である請求項１乃至６のいずれか１項に記載のクリアインク。
【請求項８】
前記コアポリマーのみが、芳香族含有不飽和モノマーに由来するユニットを有する請求項１乃至７のいずれか１項に記載のクリアインク。
【請求項９】
前記α，β−エチレン性不飽和酸モノマー及びその塩から選ばれるモノマーが、カルボン酸基含有不飽和モノマー又はその塩を少なくとも含む請求項１乃至８のいずれか１項に記載のクリアインク。
【請求項１０】
前記シェルポリマーのみが、カルボン酸基含有不飽和モノマー又はその塩に由来するユニットを有する請求項１乃至９のいずれか１項に記載のクリアインク。
【請求項１１】
前記ポリマー微粒子の体積平均粒子径が、３０ｎｍ以上２００ｎｍ以下である請求項１乃至１０のいずれか１項に記載のクリアインク。
【請求項１２】
前記クリアインク中の前記ポリマー微粒子の含有量（質量％）が、クリアインク全質量を基準として、０．３質量％以上５．０質量％以下である請求項１乃至１１のいずれか１項に記載のクリアインク。
【請求項１３】
前記クリアインクが、色材を含有しない請求項１乃至１２のいずれか１項に記載のクリアインク。
【請求項１４】
クリアインクをインクジェット方式で吐出して記録媒体に付与するインクジェット記録方法であって、
前記クリアインクが、請求項１乃至１３のいずれか１項に記載のクリアインクであることを特徴とするインクジェット記録方法。
【請求項１５】
クリアインクと少なくとも１種の顔料インクとを用いるインクジェット記録方法であって、
顔料インクを用いて記録媒体に記録を行う工程（Ｉ）、及びクリアインクをインクジェット方式で吐出して記録媒体に付与する工程（II）、を有し、
前記クリアインクが、請求項１乃至１３のいずれか１項に記載のクリアインクであることを特徴とするインクジェット記録方法。
【請求項１６】
記録媒体の少なくとも一部の領域において、前記工程（Ｉ）を行った後に、前記工程（II）を行う請求項１５に記載のインクジェット記録方法。
【請求項１７】
クリアインクと顔料インクとを有するインクジェット用のインクセットであって、
前記クリアインクが、請求項１乃至１３のいずれか１項に記載のクリアインクであることを特徴とするインクセット。
【請求項１８】
クリアインクを収容するための収容部を備えたインクカートリッジであって、
前記クリアインクが、請求項１乃至１３のいずれか１項に記載のクリアインクであることを特徴とするインクカートリッジ。
【手続補正２】
【補正対象書類名】明細書
【補正対象項目名】発明の名称
【補正方法】変更
【補正の内容】
【発明の名称】クリアインク、インクジェット記録方法、インクセット、及びインクカートリッジ
【手続補正３】
【補正対象書類名】明細書
【補正対象項目名】０００１
【補正方法】変更
【補正の内容】
【０００１】
本発明は、クリアインク、インクジェット記録方法、インクセット、及びインクカートリッジに関する。
【手続補正４】
【補正対象書類名】明細書
【補正対象項目名】００１２
【補正方法】変更
【補正の内容】
【００１２】
したがって、本発明の目的は、インクジェット用のクリアインクとして、吐出安定性に優れ、良好な光沢性を有する画像を記録でき、かつ記録デューティによらずに光沢均一性を有する画像を記録することができるクリアインクを提供することにある。より具体的には、クリアインクの付与量が少ない場合であっても、顔料インクの非記録部やその記録デューティが低い領域の画像の光沢性を大幅に向上させることができるクリアインクを提供することにある。また、本発明の別の目的は、上記のクリアインクを用いたインクジェット記録方法、インクセット、及びインクカートリッジを提供することにある。
【手続補正５】
【補正対象書類名】明細書
【補正対象項目名】００１４
【補正方法】変更
【補正の内容】
【００１４】
本発明によれば、インクジェット用のクリアインクとして、吐出安定性に優れ、良好な光沢性を有する画像を記録でき、かつ記録デューティによらずに光沢均一性を有する画像を記録することができるクリアインクを提供することができる。より具体的には、クリアインクの付与量が少ない場合であっても、顔料インクの非記録部やその記録デューティが低い領域の画像の光沢性を大幅に向上させることができるクリアインクを提供することができる。また、本発明の別の実施態様によれば、上記のクリアインクを用いたインクジェット記録方法、インクセット、及びインクカートリッジを提供することができる。